(57)【特許請求の範囲】
【請求項１】
下着着用者のリンパの流れを良くするために、
前記下着着用者のリンパ節に適度な刺激を与える構造を有し、
前記リンパ節に適度な刺激を与える構造は、
低線量の放射線を放出する天然材料の微粉末と顔料とを混合したプリント柄が、少なくとも腋窩リンパ節を含むリンパ節対応個所を覆う布地部分に形成され、
前記プリント柄が、前記低線量の放射線を放出する天然材料の微粉末からの刺激を調整し、着用感を向上させるために、
絵柄サイズを示す正方形の面積に占める絵柄面積の割合である絵柄比率が１０％乃至５０％であり、
絵柄部分を含む正方形で表わされる絵柄サイズの一辺の長さが５ｍｍ乃至３０ｍｍである同大同形の小柄絵を、前記リンパ節対応個所を覆う布地部分に縦横方向に複数点在させたものであることを特徴とする下着。
【請求項２】
前記リンパ節対応個所は、更に、左鎖骨上部リンパ節、腸リンパ節、総腸骨リンパ節、鼠径リンパ節の群から選ばれる１個所以上を含むものであることを特徴とする請求項１に記載の下着。
【請求項３】
前記プリント柄が、更に、肩部、大胸筋部、肩甲骨周囲の褐色脂肪細胞部分、腰部、子宮部の群から選ばれる１個所以上の対応個所に形成されていることを特徴とする請求項２に記載の下着。
【請求項４】
前記低線量の放射線を放出する天然材料は、バドガシュタイン温泉、北投温泉、玉川温泉の群から選ばれるうちのいずれか１個所で産出された鉱石であることを特徴とする請求項１乃至請求項３のいずれか１項に記載の下着。
【発明の詳細な説明】
【技術分野】
【０００１】
本発明は、機能性を有する下着に係り、より詳しくは、低線量の放射線を放出する天然材料の微粉末と顔料とを混合したプリント柄が着用者のリンパ節を覆う構造を有する下着に関する。
【背景技術】
【０００２】
近年、健康増進を目的に、衣類や寝具に鉱物資源を含ませて、遠赤外線効果、マイナスイオン効果、ホルミシス効果等を発揮させる提案が数多くなされている。特許文献１には電気石（トルマリン）を繊維に練り込む提案がなされ、特許文献２にはトルマリンなどの天然鉱石の粉末を生地やフィルムに捺染プリントする提案がなされ、特許文献３には、放射性物質とバインダーからなるホルミシス材料を含有させたベルトや敷物が提案されている。
【０００３】
しかしながら、これらの提案による方法で下着を作製すると、柔軟性に乏しく、肌に当たる感触がゴワゴワした硬い感触となってしまうため、やさしい感触の下着が得られなかった。
遠赤外線効果、マイナスイオン効果、ホルミシス効果のための健康下着は、毎日着用することで健康増進に役立つが、着用感が悪いと着用し続けることに苦痛を感じるようになるため、着用感に優れた健康下着が求められている。
【先行技術文献】
【特許文献】
【０００４】
【特許文献１】特開２００１−１９２９２７号公報
【特許文献２】特開２００４−０３６０３６号公報
【特許文献３】特開２０１１−０７８４４９号公報
【発明の概要】
【発明が解決しようとする課題】
【０００５】
本発明者は、上記従来技術の問題点に鑑み、肌着として用いた時に着用感を損なうことなく、遠赤外線効果、マイナスイオン効果、ホルミシス効果等の機能を有する材料を効果的に用いるために、人体の体内構造や当該機能材料の下着における接触位置、形状について鋭意検討を重ねた結果、本発明を完成するに至った。
【０００６】
本発明は、上記従来技術の課題に鑑みてなされたものであって、本発明の目的は、着用により、リンパの流れや血流が良くなることで健康増進に役立ち、肌に当たる感触が柔らかで着用感に優れた下着を提供することにある。
【課題を解決するための手段】
【０００７】
上記目的を達成するためになされた本発明の一態様による下着は、着用者のリンパ節を覆う構造の下着であって、低線量の放射線を放出する天然材料の微粉末と顔料とを混合したプリント柄が、前記リンパ節対応個所を覆う布地部分に形成され、前記プリント柄は同大同形の小柄絵を縦横方向に複数点在させることにより形成されていることを特徴とする。
【０００８】
前記プリント柄の小柄絵は、絵柄サイズを示す正方形の面積に占める絵柄面積の割合である絵柄比率が１０％乃至５０％となっていることが好ましく、絵柄部分を含む正方形で表わされる絵柄サイズの一辺の長さが５ｍｍ〜３０ｍｍであることが好ましい。
【０００９】
前記リンパ節対応個所は、左鎖骨上部リンパ節、腋窩リンパ節、腸リンパ節、総腸骨リンパ節、鼠径リンパ節の群から選ばれる１個所以上であることが好ましい。
また、前記プリント柄が、更に、肩部、大胸筋部、肩甲骨周囲の褐色脂肪細胞部分、腰部、子宮部の群から選ばれる１個所以上の対応個所に形成されていることが好ましい。
【００１０】
前記低線量の放射線を放出する天然材料は、バドガシュタイン温泉、北投温泉、玉川温泉で産出された鉱石であることが好ましい。
【発明の効果】
【００１１】
本発明の下着によれば、低線量の放射線を放出する天然材料の微粉末と顔料とを混合したプリント柄を着用者のリンパ節を覆う位置に配しているので、リンパの流れや血流が良くなり健康増進に役立てることができ、リンパ節を覆うプリント柄が同大同形の小柄絵を縦横方向に複数点在させることにより形成されているものであるので、ゴワゴワした硬い感触がなく着用感に優れ、毎日の着用においても違和感なく着用することができる。
【図面の簡単な説明】
【００１２】
【図１】本発明の一実施形態に係る下着のプリント柄の例示図である。
【図２】本発明の一実施形態に係る下着のプリント柄の例示図である。
【図３】本発明の一実施形態に係る下着の肌側から見た例示図である。
【発明を実施するための形態】
【００１３】
本発明の実施の形態を以下に説明するが、本発明はこれに限定されるものではない。
本発明の下着は、低線量の放射線を放出する天然材料の微粉末と顔料とを混合したプリント柄が着用者のリンパ節を覆う位置に配されている。リンパ節を覆う位置に配されたプリント柄は、同大同形の小柄絵を縦横方向に複数点在させたものである。
【００１４】
人間の体内にはリンパ系が張り巡らされており、リンパ系を構成するリンパ管は、全身からリンパ液を回収して静脈へ戻す体内組織であり、そこを流れるリンパ液は体内の老廃物を外に排出する役割を果たしている。
リンパ系には、体内をめぐるリンパ管の途中に位置し、老廃物のろ過、免疫抗体を生み出すリンパ球の増生が行われるリンパ節がある。
リンパの流れが悪くなると、疲労感や肩こり、むくみといった症状があらわれるが、このリンパ節に適度な刺激を与えることにより、リンパの流れが正常化するので、疲労回復、健康増進を図ることができる。
【００１５】
リンパへの刺激は、強すぎるとかえって機能を低下させる場合がある。本発明の下着は、リンパ節を覆う位置に低線量の放射線を放出する天然材料の微粉末と顔料とを混合したプリント柄を配し、そのプリント柄は、同大同形の小柄絵を縦横方向に複数点在させたものであり、マイルドな刺激をリンパ節に与えるようになっている。
【００１６】
好ましいプリント柄の小柄絵の例として、ダイヤ柄と星柄を図１、２に示す。図中の一点鎖線で示す正方形Ａ１、Ａ２が絵柄サイズであり、絵柄サイズを示す正方形の面積に占める絵柄面積の割合が絵柄比率（％）である。図１のダイヤ柄の絵柄比率は３０％であり、図２の星柄の絵柄比率は１５％である。
【００１７】
リンパ節対応個所に形成されるプリント柄の小柄絵の絵柄比率（％）は、１０〜５０％であることが好ましい。
小柄絵の絵柄比率が、１０％を下回ると、低線量の放射線を放出する天然材料による刺激の効果が発揮され難く、５０％を超えるとゴワゴワした硬い感触となり着用感が悪化する。
【００１８】
また、小柄絵は、絵柄部分を含む正方形で表わされる絵柄サイズの一辺の長さが５ｍｍ〜３０ｍｍであることが、リンパ節に適度な刺激を与え、着用時の肌触りの面から好ましい。
【００１９】
本発明の下着において、低線量の放射線を放出する天然材料を含むプリント柄は、下着全面に形成すると肌に当たる感触が硬い感触となり着用感が悪くなるため、リンパ節対応個所を覆う布地部分に形成される。
また、プリント柄が大きな絵柄模様の場合、絵柄に接する肌部分の感触が悪化するため、本発明の下着におけるプリント柄は、同大同形の小柄絵を縦横方向に複数点在させて形成して、絵柄との接触部分の感触の悪化を防止している。
【００２０】
人体内のリンパ節は、全身で６００個程度あるが、本発明の下着が覆うリンパ節対応個所は、左鎖骨上部リンパ節、腋窩リンパ節、腸リンパ節、総腸骨リンパ節、鼠径リンパ節の群から選ばれる１個所以上のリンパ節対応個所であることが好ましい。
【００２１】
また、本発明の下着において、低線量の放射線を放出する天然材料を含むプリント柄は、前述のリンパ節対応個所のほか、更に、肩部、大胸筋部、肩甲骨周囲の褐色脂肪細胞部分、腰部、子宮部に形成されていることが好ましい。
プリント柄をこれらの対応個所に形成することにより、リンパの流れや血流の改善がさらに向上するとともに、体内細胞が活性化されて下着による体型矯正効果が向上することが期待できる。
【００２２】
本発明の下着のプリント柄に用いる低線量の放射線を放出する天然材料は、鉱物、鉱石に含まれる自然放射性物質の比率を高める処理をしていないものであって、例えば、ラジウム温泉、ラドン温泉、放射能温泉で採掘される温泉華を含む温泉鉱石、オーストラリアのバドガシュタイン温泉、台湾の北投温泉、秋田県の玉川温泉等の岩盤浴が行われる温泉地で産出される鉱石、モナザイト等の微量のウランやトリチウムを含む鉱石が挙げられ、中でも、バドガシュタイン温泉、北投温泉、玉川温泉で産出された鉱石が、放射線によるホルミシス効果に加え、遠赤外線効果、マイナスイオン効果も大きいため好ましい。
【００２３】
このような低線量の放射線を放出する天然材料は、微量の放射線により人体内の細胞を刺激し、リンパの流れや血流の改善や免疫力を向上させる働きを有する。
更に、これらの材料の放出する遠赤外線やマイナスイオンは、温熱効果や体内浄化の効果に加え、上述の微量の放射線と同様に、リンパの流れや血流の改善を促す適度な刺激を与えることができる。
【００２４】
プリント柄に用いる低線量の放射線を放出する天然材料は、皮膚との接触感を良くするため、平均粒径が０．５μｍ〜５０μｍになるよう微粉砕して用いることが好ましい。粉砕の方法は特に限定されるものではなく、ボールミル等を用いる公知の方法で行うことができる。
【００２５】
微粉砕した低線量の放射線を放出する天然材料は、プリント柄の色彩の鮮やかさを高めるための顔料と共に、バインダーを溶解した水等の媒体中に分散して、下着に用いる布地にプリントする。
本発明の下着のプリント柄の作製には、低線量の放射線を放出する天然材料が、色彩的に鮮度が低いため、色彩の鮮やかさを高めるための顔料を併用する。
併用する顔料は、特に限定されるものではなく、有機顔料でも無機顔料であってもよい。
【００２６】
プリント柄のプリント方法も特に限定されるものではなく、ロータリースクリーン法、ローラ法、フラットスクリーン法、ハンドフラットスクリーン法、転写法、インクジェット法などが適用できるが、版材が不要で小ロットでの製造に対応容易な転写法による捺染プリントが好ましい。
【実施例】
【００２７】
以下、本発明を実施例により詳細に説明する。
低線量の放射線を放出する天然材料は、玉川温泉で採掘された鉱石を、ボールミルを用いて平均粒径が約３μｍになるように微粉化したものを用いた。当該材料の直近計測による放射線発生量は、４．５〜５．８μｓｖ／ｈであり、マイナスイオン発生量は７０００〜１２０００個／ｃｍ３であった。
微粉化した低線量の放射線を放出する天然材料と、顔料として黒色顔料を用い、ウレタンエマルジョンをバインダーとしてインクを調製し、下着用布地に転写捺染法により絵柄をプリントし、ブラトップタイプの下着を作製した。
プリントした絵柄は以下の通り。
・絵柄形状：星柄
・絵柄サイズ：１０ｍｍ
・絵柄率：１５％
作製したブラトップタイプの下着のプリント柄の位置を図３に示した。図３は、ブラトップタイプの下着の身体に接触する面（肌側）を示したものであり、（Ａ）は前面、（Ｂ）は後面の図である。
図３の点線円形で示した部位は、プリント柄を配した代表的部位を示したものであり、腋窩リンパ部１、肩部２、大胸筋部３、褐色脂肪細胞部分４、子宮部５、腰部６である。後面の肩部２から褐色脂肪細胞部分４にかけては左鎖骨上部リンパ節を覆うプリント柄を配し、子宮部５及び腰部６に配したプリント柄は周辺部に拡張されて、腸リンパ節、総腸骨リンパ節、鼠径リンパ節も覆っている。
【００２８】
製作したブラトップタイプの下着は、リンパ節を覆う個所に低線量の放射線を放出する天然材料を有するプリント柄が設けられており、そこからリンパ節に適度な刺激が与えられることにより、リンパの流れや血流を良くするので、健康増進に大いに役立つ。
また、製作したブラトップタイプの下着のプリント柄は、リンパ節を含む要部にのみ設けられ、同大同形の小柄絵を縦横方向に複数点在させる柄となっているので、ゴワゴワした硬い感触がなく着用感に優れ、毎日の着用においても違和感なく着用することができるものとなっている。
【符号の説明】
【００２９】
１  ・・・腋窩リンパ部
２  ・・・肩部
３  ・・・大胸筋部
４  ・・・褐色脂肪細胞部分
５  ・・・子宮部
６  ・・・腰部
【要約】      （修正有）【課題】着用により、リンパの流れや血流が良くなり健康増進に役立ち、肌に当たる感触が柔らかで着用感に優れた下着の提供。【解決手段】着用者のリンパ節を覆う構造の下着であって、低線量の放射線を放出する鉱石の微粉末と顔料とを混合したプリント柄が、リンパ節対応個所を覆う布地部分に形成され、該プリント柄は同大同形の小柄絵を縦横方向に複数点在させることにより形成されている。【選択図】図３【図１】
0005696251.tif 000002
【図２】
0005696251.tif 000003
【図３】
0005696251.tif 000004